(57)【特許請求の範囲】
【請求項１】
配信情報を管理する情報管理装置と前記配信情報を配信する配信管理装置とが接続されたネットワークを介した情報通信によって、情報通信端末からの配信要求に基づいて、前記配信情報を配信する情報配信方法であって、
前記配信管理装置に、前記情報通信端末からネットワークを介して送信された配信方法及び該配信方法に対応した１つ以上の配信先を示す配信先情報と、当該情報通信端末に記憶され、前記配信先情報と共に送信された当該情報通信端末の利用者を識別するための識別情報とを対応付けて記憶しておき、
前記情報管理装置は、前記情報通信端末から当該情報管理装置が管理している配信情報の配信要求を前記情報通信端末の利用者の識別情報と共に受け付けた場合に、当該情報通信端末の利用者の識別情報を前記配信管理装置へ送信し、
前記情報管理装置は、前記情報通信端末の利用者の識別情報に対応して記憶されている前記配信先情報を前記配信管理装置から受信し、
前記情報管理装置は、前記情報通信端末の利用者の識別情報に対応する前記配信先情報を前記情報通信端末へ送信し、
前記情報管理装置は、前記情報通信端末の利用者の識別情報に対応する前記配信先情報のうち指定された配信先指定情報を前記情報通信端末から受信し、
前記情報管理装置は、前記配信要求に対応する配信情報、前記情報通信端末の利用者の識別情報、及び前記配信先指定情報を前記配信管理装置へ送信し、
前記配信管理装置は、前記情報管理装置から受信した前記情報通信端末の利用者の識別情報及び前記配信先指定情報により指定された配信先情報に基づいて、前記情報管理装置から受信した前記配信要求に対応する配信情報を送信する、
ことを特徴とする情報配信方法。
【請求項２】
配信情報を管理する情報管理装置と前記配信情報を配信する配信管理装置とが接続されたネットワークを介した情報通信によって、情報通信端末からの配信要求に基づいて、前記配信情報を配信する情報配信方法であって、
前記配信管理装置に、前記情報通信端末からネットワークを介して送信された配信方法及び該配信方法に対応した１つ以上の配信先を示す配信先情報と、当該情報通信端末に記憶され、前記配信先情報と共に送信された当該情報通信端末を識別するための識別情報とを対応付けて記憶しておき、
前記情報管理装置は、前記情報通信端末から当該情報管理装置が管理している配信情報の配信要求を前記情報通信端末の識別番号と共に受け付けた場合に、当該情報通信端末の識別情報を前記配信管理装置へ送信し、
前記情報管理装置は、前記情報通信端末の識別情報に対応して記憶されている前記配信先情報を前記配信管理装置から受信し、
前記情報管理装置は、前記情報通信端末の識別情報に対応する前記配信先情報を前記情報通信端末へ送信し、
前記情報管理装置は、前記情報通信端末の識別情報に対応する前記配信先情報のうち指定された配信先指定情報を前記情報通信端末から受信し、
前記情報管理装置は、前記配信要求に対応する配信情報、前記情報通信端末の識別情報、及び前記配信先指定情報を前記配信管理装置へ送信し、
前記配信管理装置は、前記情報管理装置から受信した前記情報通信端末の識別情報及び前記配信先指定情報により指定された配信先情報に基づいて、前記情報管理装置から受信した前記配信要求に対応する配信情報を送信する、
ことを特徴とする情報配信方法。
【請求項３】
ネットワークを介した情報通信によって、情報通信端末からの配信要求に基づいて、配信情報を配信する情報配信システムであって、
前記ネットワークを介して前記情報通信端末から入力された配信方法及び該配信方法に対応した１つ以上の配信先を示す配信先情報と、当該情報通信端末に記憶され、前記配信先情報と共に送信された当該情報通信端末を識別するための識別情報とを対応付けて記憶する記憶手段、及び前記ネットワークを介して前記配信要求に対応する配信情報、前記情報通信端末の識別情報、及び前記記憶手段に記憶されている前記識別情報に対応する前記配信先情報のうち指定された配信先指定情報を受信し、前記情報通信端末の識別情報及び前記配信先指定情報に基づいて、前記配信要求に対応する配信情報を送信する送信手段を備えた配信管理装置と、
前記配信情報を管理すると共に、前記ネットワークを介して前記情報通信端末から当該管理している配信情報の配信要求を前記情報通信端末の識別番号と共に受け付けた場合に、当該情報通信端末の識別情報を前記配信管理装置へ送信し、前記識別情報に対応して記憶されている前記配信先情報を前記配信管理装置から受信し、前記配信先情報を前記情報通信端末へ送信し、前記配信先指定情報を前記情報通信端末から受信し、前記配信要求に対応する配信情報、前記情報通信端末の識別情報、及び前記配信先指定情報を前記ネットワークを介して前記配信管理装置へ送信する情報管理装置と、
を有することを特徴とする情報配信システム。
【請求項４】
ネットワークを介した情報通信によって、情報通信端末からの配信要求に基づいて、配信情報を配信する情報配信システムに用いられる配信管理装置であって、
前記ネットワークを介して前記情報通信端末から入力された配信方法及び該配信方法に対応した１つ以上の配信先を示す配信先情報と、当該情報通信端末に記憶され、前記配信先情報と共に送信された当該情報通信端末を識別するための識別情報とを対応付けて記憶する記憶手段と、
前記情報通信端末から前記ネットワーク上の情報管理装置へ当該情報通信端末の識別情報とともに送信された配信要求に基づき前記情報管理装置から当該情報通信端末の配信先情報の問合せを受信し、前記配信先情報の問合せに応じて予め登録された配信先情報の中から当該情報通信端末の識別情報に対応する配信先情報を前記情報管理装置へ送信し、前記情報管理装置から当該情報通信端末へ送信された当該情報通信端末の識別情報に対応する前記配信先情報の中から前記情報通信端末で指定された配信先情報、当該情報通信端末の識別情報、及び前記配信要求に対応する配信情報を前記情報管理装置から受信し、前記記憶手段に記憶している当該情報通信端末の識別情報に対応する前記配信先情報のうち前記指定された配信先情報に対応する配信先指定情報を受信し、当該情報通信端末の識別番号及び前記配信先指定情報に基づいて、前記配信要求に対応する配信情報を送信する送信手段と、
を有することを特徴とする配信管理装置。
【請求項５】
ネットワークを介した情報通信によって、情報通信端末からの配信要求に基づいて、配信情報を配信する情報配信システムに用いられる情報管理装置であって、
前記配信情報を管理すると共に、前記ネットワークを介して前記情報通信端末から当該管理している配信情報の配信要求を前記情報通信端末の識別番号と共に受け付けた場合に、当該情報通信端末から前記ネットワークを介して入力された配信方法及び該配信方法に対応した１つ以上の配信先を示す配信先情報と、当該情報通信端末に記憶され、前記配信先情報と共に送信された当該情報通信端末を識別するための識別情報とを対応付けて記憶している配信管理装置へ当該情報通信端末の識別情報を送信し、前記情報通信端末の識別情報に対応して記憶されている前記配信先情報を前記配信管理装置から受信し、当該配信先情報を前記情報通信端末へ送信し、前記情報通信端末から前記配信先情報のうち指定された配信先指定情報を受信し、前記配信要求に対応する配信情報、前記情報通信端末の識別情報、及び前記配信先指定情報を前記ネットワークを介して前記配信管理装置へ送信する、
ことを特徴とする情報管理装置。
【請求項６】
前記ネットワークに複数の前記配信管理装置が接続されている場合に、
前記情報通信端末から配信管理装置を指定する配信管理装置指定情報を取得し、当該配信管理装置指定情報に基づいて、前記配信要求に対応する情報及び当該情報通信端末の識別情報を送信する配信管理装置を選択する、
ことを特徴とする請求項５に記載の情報管理装置。
【発明の詳細な説明】
【０００１】
【発明の属する技術分野】
本発明は、情報配信方法、情報配信システム、配信管理装置、情報管理装置に係わり、特に、情報を管理する情報管理装置と前記情報を配信する配信管理装置とがネットワークに接続され、前記ネットワークにアクセスした情報通信端末からの配信要求に基づいて、前記情報を配信する情報配信方法、情報配信システム、この情報配信システムに用いられる配信管理装置、この情報配信システムに用いられる情報管理装置に関する。
【０００２】
【従来の技術】
近年、企業等ではネットワーク化が進み、ワープロソフトで作成した文書ファイル等の各種データをイントラネットやインターネット等のネットワーク上に格納して共有する情報管理装置が普及している。情報管理装置には、メールサーバと組合せて、情報管理装置で蓄積管理しているファイルを電子メールによって指定された電子メールアドレスへ送信する配信機能を備えたものもある。
【０００３】
また、近年の携帯電話は音声通話のみならず、情報通信を行うこともできるようになっている。例えば、銀行口座の残高照会・振込、チケット予約等のオンラインサービスや、電子メールの送受信、ＷＷＷ(World Wide Web)を利用した情報提供等のインターネット接続サービスが提供されている。
【０００４】
上記の配信機能付きの情報管理装置においても、携帯電話からのインターネットを介した接続を受付け、携帯電話から入力された各種指示に従って、当該情報管理装置で管理しているデータの中から、所望のデータを指定されたメールアドレスへ送信するようになっている。
【０００５】
図２０には、このときの携帯電話側からのユーザの作業及び携帯電話の液晶パネルに表示される画面の一例が示されている。図２０に示す例では、ユーザが携帯電話を操作することによって、ネットワークを介して、携帯電話５０から情報管理装置に接続（アクセス）し、携帯電話５０の液晶パネル５２に、情報管理装置が蓄積管理しているデータ（一例として文書ファイル）の情報を表示させ、メールで送信したい文書ファイルを選択する（Ａ）。そして選択した文書ファイル中の文書の要約を液晶パネル５２に表示させて内容を確認し（Ｂ）、続いて、文書ファイルのプロパティを液晶パネル５２に表示させて（Ｃ）、当該プロパティ画面上の「メール」ボタン５４を選択して（Ｄ）、液晶パネル５２にメールアドレス入力画面を表示させる（Ｅ）。このメールアドレス入力画面から自分のメールアドレス（from欄）、及び送信先のメールアドレス（To欄）を入力する。
【０００６】
情報管理装置では、選択された文書ファイルを、例えば図２１に示すように添付ファイルとして電子メールに添付して、入力された送信先のメールアドレスへ送信する。
【０００７】
【発明が解決しようとする課題】
しかしながら、従来技術では、ユーザは毎回メールアドレスを入力しなければならず、操作が面倒であった。情報管理装置でメールアドレスを登録管理しておき、情報を配信する際に利用することも考えられるが、情報管理装置毎にメールアドレスを登録する必要があり、ユーザの操作の手間を省くためには十分でななかった。
【０００８】
また、従来技術では、配信機能を実現するためにメールサーバ等が情報管理装置毎に必要とされ、コストが高くなってしまうという問題もあった。
【０００９】
本発明は上記問題点を解消するためになされたもので、情報端末装置から情報配信サービスを利用する際の操作の簡略化を低コストで実現することができる情報配信方法、情報配信システム、配信管理装置、情報管理装置を提供することを目的とする。
【００１０】
【課題を解決するための手段】
上記目的を達成するために、請求項１に記載の発明は、配信情報を管理する情報管理装置と前記配信情報を配信する配信管理装置とが接続されたネットワークを介した情報通信によって、情報通信端末からの配信要求に基づいて、前記配信情報を配信する情報配信方法であって、前記配信管理装置に、前記情報通信端末からネットワークを介して送信された配信方法及び該配信方法に対応した１つ以上の配信先を示す配信先情報と、当該情報通信端末に記憶され、前記配信先情報と共に送信された当該情報通信端末の利用者を識別するための識別情報とを対応付けて記憶しておき、前記情報管理装置は、前記情報通信端末から当該情報管理装置が管理している配信情報の配信要求を前記情報通信端末の利用者の識別情報と共に受け付けた場合に、当該情報通信端末の利用者の識別情報を前記配信管理装置へ送信し、前記情報管理装置は、前記情報通信端末の利用者の識別情報に対応して記憶されている前記配信先情報を前記配信管理装置から受信し、前記情報管理装置は、前記情報通信端末の利用者の識別情報に対応する前記配信先情報を前記情報通信端末へ送信し、前記情報管理装置は、前記情報通信端末の利用者の識別情報に対応する前記配信先情報のうち指定された配信先指定情報を前記情報通信端末から受信し、前記情報管理装置は、前記配信要求に対応する配信情報、前記識別情報、及び前記配信先指定情報を前記配信管理装置へ送信し、前記配信管理装置は、前記情報管理装置から受信した前記情報通信端末の利用者の識別情報及び前記配信先指定情報により指定された配信先情報に基づいて、前記情報管理装置から受信した前記配信要求に対応する配信情報を送信する、ことを特徴としている。
【００１１】
請求項１に記載の発明によれば、情報を管理する情報管理装置とは別にネットワーク上に配信管理装置が設けられており、配信管理装置には、携帯電話等の情報通信端末から入力された配信方法及び該配信方法に対応した１つ以上の配信先を示す配信先情報と、当該情報通信端末に記憶された当該情報通信端末の利用者の識別情報（ＩＤ）が記憶（登録）される。情報管理装置は、情報通信端末から配信要求を受付けた場合に、当該情報通信端末の利用者の識別情報を配信管理装置へ送信し、識別情報に対応して記憶されている配信先情報を配信管理装置から受信し、情報通信端末の利用者の識別情報に対応する配信先情報を情報通信端末へ送信し、情報通信端末の利用者の識別情報に対応する配信先情報のうち指定された配信先指定情報を情報通信端末から受信し、配信要求に対応する配信情報、識別情報、及び配信先指定情報を配信管理装置へ送信し、配信管理装置では、受信した識別情報及び配信先指定情報により指定された配信先情報に対応している配信先へ、受信した配信要求に対応する配信情報を送信する。
【００１２】
すなわち、予め配信先を配信管理装置に記憶（登録）しておけば、情報通信端末から情報配信サービスを利用する際に配信先を入力する操作を省略できる。また、情報管理装置とは別に配信管理装置をネットワーク上に設けることにより、ネットワーク上の複数の情報管理装置で配信管理装置の共有が可能となり、低コスト化を図ることができる。
【００１３】
請求項２に記載の発明は、配信情報を管理する情報管理装置と前記配信情報を配信する配信管理装置とが接続されたネットワークを介した情報通信によって、情報通信端末からの配信要求に基づいて、前記配信情報を配信する情報配信方法であって、前記配信管理装置に、前記情報通信端末からネットワークを介して送信された配信方法及び該配信方法に対応した１つ以上の配信先を示す配信先情報と、当該情報通信端末に記憶され、前記配信先情報と共に送信された当該情報通信端末を識別するための識別情報とを対応付けて記憶しておき、前記情報管理装置は、前記情報通信端末から当該情報管理装置が管理している配信情報の配信要求を前記情報通信端末の識別番号と共に受け付けた場合に、当該情報通信端末の識別情報を前記配信管理装置へ送信し、前記情報管理装置は、前記情報通信端末の識別情報に対応して記憶されている前記配信先情報を前記配信管理装置から受信し、前記情報管理装置は、前記情報通信端末の識別情報に対応する前記配信先情報を前記情報通信端末へ送信し、前記情報管理装置は、前記情報通信端末の識別情報に対応する前記配信先情報のうち指定された配信先指定情報を前記情報通信端末から受信し、前記情報管理装置は、前記配信要求に対応する配信情報、前記情報通信端末の識別情報、及び前記配信先指定情報を前記配信管理装置へ送信し、前記配信管理装置は、前記情報管理装置から受信した前記情報通信端末の識別情報及び前記配信先指定情報により指定された配信先情報に基づいて、前記情報管理装置から受信した前記配信要求に対応する配信情報を送信する、ことを特徴としている。
【００１４】
請求項２に記載の発明によれば、情報を管理する情報管理装置とは別にネットワーク上に配信管理装置が設けられており、配信管理装置には、携帯電話等の情報通信端末から入力された配信方法及び該配信方法に対応した１つ以上の配信先を示す配信先情報と、当該情報通信端末の識別情報（ＩＤ）が記憶（登録）される。情報管理装置は、情報通信端末から配信要求を受付けた場合に、当該情報通信端末の識別情報を配信管理装置へ送信し、識別情報に対応して記憶されている配信先情報を配信管理装置から受信し、情報通信端末の識別情報に対応する配信先情報を情報通信端末へ送信し、情報通信端末の識別情報に対応する配信先情報のうち指定された配信先指定情報を情報通信端末から受信し、配信要求に対応する配信情報、識別情報、及び配信先指定情報を配信管理装置へ送信し、配信管理装置では、受信した識別情報及び配信先指定情報により指定された配信先情報に対応している配信先へ、受信した配信要求に対応する配信情報を送信する。
【００１５】
すなわち、予め配信先を配信管理装置に記憶（登録）しておけば、情報通信端末から情報配信サービスを利用する際に配信先を入力する操作を省略できる。また、情報管理装置とは別に配信管理装置をネットワーク上に設けることにより、ネットワーク上の複数の情報管理装置で配信管理装置の共有が可能となり、低コスト化を図ることができる。
【００１６】
請求項３に記載の発明は、ネットワークを介した情報通信によって、情報通信端末からの配信要求に基づいて、配信情報を配信する情報配信システムであって、前記ネットワークを介して前記情報通信端末から入力された配信方法及び該配信方法に対応した１つ以上の配信先を示す配信先情報と、当該情報通信端末に記憶され、前記配信先情報と共に送信された当該情報通信端末を識別するための識別情報とを対応付けて記憶する記憶手段、及び前記ネットワークを介して前記配信要求に対応する配信情報、前記情報通信端末の識別情報、及び前記記憶手段に記憶されている前記識別情報に対応する前記配信先情報のうち指定された配信先指定情報を受信し、前記情報通信端末の識別情報及び前記配信先指定情報に基づいて、前記配信要求に対応する配信情報を送信する送信手段を備えた配信管理装置と、前記配信情報を管理すると共に、前記ネットワークを介して前記情報通信端末から当該管理している配信情報の配信要求を前記情報通信端末の識別番号と共に受け付けた場合に、当該情報通信端末の識別情報を前記配信管理装置へ送信し、前記識別情報に対応して記憶されている前記配信先情報を前記配信管理装置から受信し、前記配信先情報を前記情報通信端末へ送信し、前記配信先指定情報を前記情報通信端末から受信し、前記配信要求に対応する配信情報、前記情報通信端末の識別情報、及び前記配信先指定情報を前記ネットワークを介して前記配信管理装置へ送信する情報管理装置と、を有することを特徴としている。
【００１７】
請求項４に記載の発明は、ネットワークを介した情報通信によって、情報通信端末からの配信要求に基づいて、配信情報を配信する情報配信システムに用いられる配信管理装置であって、前記ネットワークを介して前記情報通信端末から入力された配信方法及び該配信方法に対応した１つ以上の配信先を示す配信先情報と、当該情報通信端末に記憶され、前記配信先情報と共に送信された当該情報通信端末を識別するための識別情報とを対応付けて記憶する記憶手段と、前記情報通信端末から前記ネットワーク上の情報管理装置へ当該情報通信端末の識別情報とともに送信された配信要求に基づき前記情報管理装置から当該情報通信端末の配信先情報の問合せを受信し、前記配信先情報の問合せに応じて予め登録された配信先情報の中から当該情報通信端末の識別情報に対応する配信先情報を前記情報管理装置へ送信し、前記情報管理装置から当該情報通信端末へ送信された当該情報通信端末の識別情報に対応する前記配信先情報の中から前記情報通信端末で指定された配信先情報、当該情報通信端末の識別情報、及び前記配信要求に対応する配信情報を前記情報管理装置から受信し、前記記憶手段に記憶している当該情報通信端末の識別情報に対応する前記配信先情報のうち前記指定された配信先情報に対応する配信先指定情報を受信し、当該情報通信端末の識別番号及び前記配信先指定情報に基づいて、前記配信要求に対応する配信情報を送信する送信手段と、を有することを特徴としている。
【００１８】
請求項５に記載の発明は、ネットワークを介した情報通信によって、情報通信端末からの配信要求に基づいて、配信情報を配信する情報配信システムに用いられる情報管理装置であって、前記配信情報を管理すると共に、前記ネットワークを介して前記情報通信端末から当該管理している配信情報の配信要求を前記情報通信端末の識別番号と共に受け付けた場合に、当該情報通信端末から前記ネットワークを介して入力された配信方法及び該配信方法に対応した１つ以上の配信先を示す配信先情報と、当該情報通信端末に記憶され、前記配信先情報と共に送信された当該情報通信端末を識別するための識別情報とを対応付けて記憶している配信管理装置へ当該情報通信端末の識別情報を送信し、前記情報通信端末の識別情報に対応して記憶されている前記配信先情報を前記配信管理装置から受信し、当該配信先情報を前記情報通信端末へ送信し、前記情報通信端末から前記配信先情報のうち指定された配信先指定情報を受信し、前記配信要求に対応する配信情報、前記情報通信端末の識別情報、及び前記配信先指定情報を前記ネットワークを介して前記配信管理装置へ送信する、ことを特徴としている。
【００１９】
次に、請求項３に記載の情報配信システムを請求項４に記載の配信管理装置及び請求項５に記載の情報管理装置とともに説明する。
【００２０】
ネットワーク上に情報を管理する情報管理装置とは別に配信管理装置が設けられて、情報配信システムが構成され、配信管理装置は、記憶手段と送信手段を備えており、記憶手段には携帯電話等の情報通信端末から入力された配信方法及び該配信方法に対応した１つ以上の配信先を示す配信先情報と当該情報通信端末の識別情報（ＩＤ）が記憶（登録）される。
【００２１】
情報管理装置は、ネットワークを介してアクセスされた情報通信端末から、当該情報管理装置が管理している配信情報の配信要求を受付けた場合に、当該情報通信端末の識別情報を配信管理装置へ送信し、識別情報に対応して記憶されている配信先情報を配信管理装置から受信し、情報通信端末の識別情報に対応する配信先情報を情報通信端末へ送信し、情報通信端末の識別情報に対応する配信先情報のうち指定された配信先指定情報を情報通信端末から受信し、配信要求に対応する配信情報、識別情報、及び配信先指定情報を配信管理装置へ送信する。
【００２２】
配信管理装置では、送信手段によって、受信した識別情報及び配信先指定情報により指定された配信先情報に対応している配信先へ、受信した配信要求に対応する配信情報を送信する。
【００２３】
すなわち、予め配信先を配信管理装置に記憶（登録）しておけば、情報通信端末から情報配信サービスを利用する際に配信先を入力する操作を省略できる。また、ネットワーク上に情報管理装置とは別に配信管装置を設けることにより、ネットワーク上の複数の情報管理装置で配信管理装置の共有が可能となり、低コスト化を図ることができる。
【００２６】
また、前記情報管理装置は、請求項６に記載されているように、前記ネットワークに複数の前記配信管理装置が接続されている場合に、前記情報通信端末から配信管理装置を指定する配信管理装置指定情報を取得し、当該配信管理装置指定情報に基づいて、前記配信要求に対応する情報及び当該情報通信端末の識別情報を送信する配信管理装置を選択するようにするとよい。
【００２７】
【発明の実施の形態】
次に、図面を参照して本発明に係る実施形態の１例を詳細に説明する。
【００２８】
［第１の実施の形態］
図１には、本発明の第１の実施の形態に係わるネットワーク接続図が示されている。
【００２９】
図１に示すネットワークシステムは、情報通信端末としての携帯電話１２と無線で情報通信を行う通信サーバ１４と、各種の情報を蓄積管理する情報管理装置としてのコンテンツサーバ１６と、指定された送信先に情報を送信する配信管理装置としての配信サーバ１８と、コンピュータ２０とが、モデム、ルータ、ＴＡ（Terminal Adapter）等の接続手段２２を各々介して、インターネット２４に接続されて構成されている。なお、通信サーバ１４、コンテンツサーバ１６、コンピュータ２０は、１台でも複数台でもよい。
【００３０】
これらの通信サーバ１４、コンテンツサーバ１６、配信サーバ１８、及びコンピュータ２０は、インターネット２４を介して、相互に通信可能となっている。また、携帯電話１２は、通信サーバ１４を介して、インターネット２４と接続された他の装置と相互通信可能となっている。
【００３１】
コンテンツサーバ１６及び配信サーバ１８は、このインターネット２４を介した相互通信によって、コンテンツサーバ１６が管理している情報を配信サーバ１８で配信するサービス（以下、「情報配信サービス」という）を携帯電話１２のユーザへ提供する。ここで、インターネット２４を介した相互通信について説明する。
【００３２】
インターネット２４を介した相互通信によって、携帯電話１２はＷＷＷ（World Wide Web）クライアント、コンテンツサーバ１６或いは配信サーバ１８はＷＷＷサーバとして機能するようになっている。
【００３３】
詳しくは、携帯電話１２には、予めＷＷＷ（World Wide Web）ブラウザがインストールされており、このＷＷＷブラウザを起動することにより、インターネット２４を介して、コンテンツサーバ１６或いは配信サーバ１８に任意にアクセス可能となる。このとき、アクセス位置（アクセス先のコンテンツサーバ或いは配信サーバの位置、及び当該サーバ内の情報の位置で構成されるデータ）は、ＵＲＬ（Uniform Resource Locator）で指定される。
【００３４】
コンテンツサーバ１６或いは配信サーバ１８は、携帯電話１２からアクセス要求があった場合、インターネット２４を介して、ＵＲＬで指定された位置にあるデータをアクセス元の携帯電話１２へ送信する。携帯電話１２では、ＷＷＷブラウザによって、インターネット２４を介して送信されてきたデータを解析して、当該携帯電話１２に表示手段として備えられている液晶画面２６にウェブデータ（ホームページやウェブページ）を表示する。
【００３５】
なお、この携帯電話へ送信されるデータは、表示領域が狭い携帯電話の液晶画面２６に表示するために、一般に、ＨＴＭＬ（Hyper Text Markup Language）の機能を簡略した言語（所謂コンパクトＨＴＭＬ）や、ＨＤＭＬ(Handheld Device Markup Language)等で記述されており、ＨＴＴＰ（Hyper Text Transfer Protocol）に従って送信される。
【００３６】
コンテンツサーバ１６は、当該コンテンツサーバ１６の動作を制御するコントローラ、各種データ（ファイル）を格納するメモリ、及びデータや指示信号を入出力するための入出力ポートを備えている。メモリに格納されるデータとしては、テキストデータ、画像データ、音楽データ、ワープロソフトで作成した文書ファイル等の各種アプリケーションデータ等がある。以下、これらのデータを総称して、コンテンツと呼ぶ。
【００３７】
コンテンツサーバ１６は、携帯電話１２からアクセスされた場合、コンテンツサーバ１６が管理しているコンテンツに関する情報をコンパクトＨＴＭＬやＨＤＭＬ等の携帯電話１２側で参照可能な言語のデータに整形して、携帯電話１２へ向けて送信する。また、携帯電話１２から入力された指示に応じて、配信サーバ１８と通信を行い、配信サーバ１８にコンテンツの送信する。
【００３８】
配信サーバ１８は、記憶手段としての大容量のデータベース２８と、送信手段としての送信制御装置３０を備えている。データベース２８と送信制御装置３０はバスにより接続され、データベース２８が接続手段２２を介してインターネット２４と接続されている。送信制御装置３０は、当該送信制御装置３０の動作を制御するコントローラ、各種データ（ファイル）を格納するメモリ、及びデータや指示信号を入出力するための入出力ポートを備えている。
【００３９】
配信サーバ１８は、携帯電話１２から配信サーバ１８に入力された電子メールアドレス等の配信先データをデータベース２８に記憶（登録）する。また、配信サーバ１８は、送信制御装置３０によって、コンテンツサーバ１６からコンテンツを受信した場合に、データベース２８に登録されている配信先データに基づいて、受信したコンテンツを電子メール等で送信する。
【００４０】
なお、一般に電子メールは、ＳＭＴＰ（Send Mail Transfer Protocol）に従って送信され、ＭＩＭＥ(Multipurpose Internet Mail Extension)機能を用いて、画像や音声等のデータや、各種アプリケーションデータ（例えば、ワープロソフトで作成した文書ファイル）等のバイナリデータを添付して送信することも可能となっている。
【００４１】
コンピュータ２０は、インターネット２４を介して電子メールを送受信可能となっており、配信サーバ１８から送信された電子メールを受信する。また、コンピュータ２０には、ワープロソフト等の各種アプリケーションソフトがインストールされており、必要に応じて、電子メールに添付されたアプリケーションデータを開いたり、編集したりすることが可能となっている。
【００４２】
次に、本実施の形態の作用を説明する。図２には、コンテンツサーバ１６及び配信サーバ１８によって提供される情報配信サービスの全体の流れを示す概念図が示されている。なお、何れのコンテンツサーバ１６でも同様の処理が行われるため、図２では、コンテンツサーバ１６を１つのみ示し、残りのコンテンツサーバ１６については省略している。
【００４３】
以下、図２中の矢印▲１▼、▲２▼、…、▲８▼の順に従って説明する。
【００４４】
▲１▼：ユーザは、情報配信サービスの利用に際して、携帯電話１２を操作して、配信サーバ１８にアクセスし、電子メール、ＦＡＸ、郵送等の配信方法と、ユーザのメールアドレス、ＦＡＸ番号、住所等の具体的な配信先を予め登録しておく。この登録された配信方法及び配信先のデータは、携帯電話毎に整理してデータベース２８に格納される。登録が済むと、配信サーバ１８へのアクセスを終了する。
【００４５】
なお、本実施の形態では、複数の配信方法を登録可能とした場合について説明するが、本発明はこれに限定されるものではなく、少なくとも電子メールを登録しておくことができればよい。電子メールのみ登録可能とする場合は、配信方法の登録を省略し、配信先（メールアドレス）のみの登録としてもよい。
【００４６】
▲２▼：ユーザは、携帯電話１２を操作して、コンテンツサーバ１６にアクセスし、コンテンツサーバ１６が提供可能なコンテンツに関する情報（タイトル等）を閲覧し、所望のコンテンツを選択する。
【００４７】
▲３▼：コンテンツサーバ１６は、配信サーバ１８に、当該携帯電話に対応する配信方法を問合せる。
【００４８】
▲４▼：配信サーバ１８は、データベースに登録されている配信方法から当該携帯電話に対応する配信方法を検索し、コンテンツサーバ１６へ通知する。
【００４９】
▲５▼：コンテンツサーバ１６は、通知された、登録されている配信方法を携帯電話へ通知し、登録されている配信方法の中からコンテンツを配信する方法の選択をユーザに促す。
【００５０】
▲６▼：ユーザは、携帯電話を操作して、登録されている配信方法の中から所望の配信方法を選択する。
【００５１】
▲７▼：コンテンツサーバ１６は、▲２▼で選択されたコンテンツのデータを配信サーバ１８へ送信すると共に、▲６▼で選択された配信方法を配信サーバ１８に通知する。
【００５２】
▲８▼：配信サーバ１８は、データベース２８を参照して、当該携帯電話に対応して登録されている配信先の中から、選択された配信方法に対応する配信先を選択し、当該配信先へ受信したコンテンツのデータを配信する。
【００５３】
具体的には、配信方法として電子メールが選択された場合には、電子メールの具体的な配信先として登録されているメールアドレスへコンテンツのデータを送信する。ＦＡＸ又は郵送が選択された場合には、プリンタ（図示省略）にコンテンツのデータの印刷を指示したり、オペレータへＦＡＸ送信又は郵送を促すデータを出力する。また、配信サーバ１８を電話回線に接続しておき、ＦＡＸの場合は自動送信するようにしてもよい。
【００５４】
次に、上記▲１▼乃至▲８▼の処理を図３乃至図８を参照して詳細に説明する。図３、図４には携帯電話１２、図５にはコンテンツサーバ１６、図６乃至図８には配信サーバ１８で実行される処理のフローチャートが示されている。
【００５５】
まず、▲１▼の配信方法及び配信先を登録する場合の処理について説明する。
【００５６】
配信方法及び配信先を登録する場合、ユーザは、携帯電話１２を操作して、配信サーバ１８の登録サービスを提供するウェブページのＵＲＬを指定してアクセス指示を入力する。この指示を受けて、携帯電話１２は、図３に示すように、ステップ１００において配信サーバ１８の登録サービスへアクセスする。
【００５７】
配信サーバ１８は、図６に示すように、携帯電話１２によって登録サービスにアクセスされると、ステップ３００からステップ３０２に移行し、図７に示す登録サービス処理を起動する。登録サービス処理では、まず、ステップ３１０において、配信方法及び配信先のデータを入力するための画面のデータをアクセスしてきた携帯電話１２へ送信する。
【００５８】
携帯電話１２では、図３に示すように、配信サーバ１８からの配信方法及び配信先のデータを入力するための画面のデータを受信すると、ステップ１０２からステップ１０４へ移行し、当該画面を液晶画面２６に表示する。ユーザは、携帯電話１２を操作して、表示された画面から所望の配信方法、及び具体的な配信先を示すデータを入力する。
【００５９】
なお、本実施の形態では、配信方法及び配信先のデータを入力するために、携帯電話１２の液晶画面に、まず、図９に示すように、選択可能な配信方法をリスト表示し、配信方法を選択するための画面が表示されるようになっている。ユーザが携帯電話１２を操作して（例えば、携帯電話に備えられている０〜９の番号ボタンの中から所望の配信方法に対応する番号のボタンを押圧する）、当該画面から配信方法を選択することによって、配信方法を示すデータが入力されるようになっている。また、ユーザによって配信方法が選択されたら、図１０に示すような具体的な配信先のデータを入力するための画面が表示されるようになっている。なお、図１０は電子メールが選択された場合の画面を示している。
【００６０】
ユーザによって配信方法及び配信先を示すデータが入力されると、図３のステップ１０６からステップ１０８に移行し、携帯電話１２から配信サーバ１８へ、当該入力された配信方法及び配信先を示すデータが当該携帯電話のＩＤを示すデータと共に送信される。なお、携帯電話１２のＩＤとしては、当該携帯電話の電話番号を用いてもよいし、予め、携帯電話１２や利用者を識別するためのデータを付与して、当該携帯電話１２のメモリ内に記憶しておいてもよい。利用者を識別するためのデータを記憶するためには、例えば、ＳＩＭカードと呼ばれる切手大のＩＣカードを用いることができる。
【００６１】
配信サーバ１８は、図７に示すように、携帯電話１２からの配信方法及び配信先を示すデータを受信すると、ステップ３１２からステップ３１４に移行し、当該データと共に送られてきたＩＤを示すデータに基づいて、ＩＤ毎に整理して、受信した配信方法及び配信先を示すデータをデータベース２８に格納する。これにより、配信方法及び配信先が登録される。
【００６２】
次に、▲２▼乃至▲８▼の情報配信サービスの利用時の処理について説明する。
【００６３】
情報配信サービスを利用する場合、ユーザは携帯電話１２を操作して、コンテンツサーバ１６の当該サービスを提供するためのウェブページのＵＲＬを指定してアクセス指示を入力する。これを受けて、携帯電話１２は、図４に示すように、ステップ１１０においてコンテンツサーバ１６の情報配信サービスへアクセスする。
【００６４】
コンテンツサーバ１６は、図５に示すように、携帯電話１２によって情報配信サービスにアクセスされると、ステップ２００からステップ２０２に移行し、当該コンテンツサーバ１６が管理しているコンテンツの中から所望のコンテンツを選択するための画面のデータをアクセスしてきた携帯電話１２へ送信する。
【００６５】
携帯電話１２では、図４に示すように、配信サーバ１８からのコンテンツを選択するための画面のデータを受信すると、ステップ１１２からステップ１１４へ移行し、当該画面を液晶画面２６に表示する。
【００６６】
例えば、賃貸住宅に係わるコンテンツを提供するコンテンツサーバ１６にアクセスした場合は、図１１に示されるように、コンテンツを選択するための画面として、選択可能なコンテンツのタイトルをリスト表示する画面が表示される。ユーザは、携帯電話１２を操作して（例えば、携帯電話に備えられている０〜９の番号ボタンの中から所望のコンテンツに対応する番号のボタンを押圧する）、表示された画面から所望のコンテンツを選択する。
【００６７】
ユーザによって所望のコンテンツが選択されると、図４のステップ１１６からステップ１１８に移行し、携帯電話１２からコンテンツサーバ１６へ、選択結果を示すデータが当該携帯電話のＩＤを示すデータと共に配信要求として送信される。なお、携帯電話のＩＤは、携帯電話１２からコンテンツサーバ１６へアクセスした時点で送信されるようにしてもよい。
【００６８】
コンテンツサーバ１６は、図５に示すように、携帯電話１２からの選択結果を示すデータと当該携帯電話のＩＤを示すデータを受信すると、ステップ２０４からステップ２０６に移行し、受信したデータで示されている携帯電話のＩＤに対応する登録配信方法の問合せ要求を配信サーバ１８へ送信する。
【００６９】
配信サーバ１８は、図６に示すように、コンテンツサーバ１６からの問合せ要求を受信すると、ステップ３００からステップ３０４を経てステップ３０６へ移行し、図８に示す配信処理を起動する。
【００７０】
配信処理では、まず、ステップ３２０において、問合せを受けた携帯電話のＩＤに対応して前述のステップ３１４でデータベース２８に登録した配信方法（すなわち、図２▲１▼で示した配信方法及び配信先の登録の際に、ユーザによって登録された配信方法）が検索される。そして、次のステップ３２２において、その検索結果を問合せ結果として、問合せ要求を送信してきたコンテンツサーバ１６へ通知する。詳しくは、配信方法が検索された場合は、当該検索された全ての配信方法が通知され、配信方法が検索されなかった場合には配信方法の登録がされていないことが通知される。
【００７１】
コンテンツサーバ１６は、図５に示すように、配信サーバからの問合せ結果を受信すると、ステップ２０８からステップ２１０に進み、当該携帯電話のＩＤに対して登録された配信方法が有ったか否かを判断する。
【００７２】
登録が有った場合は、ステップ２１２に移行する。ステップ２１２では、当該携帯電話のＩＤに対して登録されていた全ての配信方法の中から所望の配信方法を選択するための画面のデータを生成して、携帯電話１２へ送信する。なお、登録が無かった場合（すなわち当該携帯電話のＩＤに対して配信方法が登録されていなかった場合）は、ステップ２１８へ移行し、ユーザに登録を促すメッセージを表示する画面のデータを携帯電話１２へ送信する等のエラー処理を行って、処理を終了する。
【００７３】
携帯電話１２は、図４に示すように、コンテンツサーバ１６からの配信方法を選択するための画面のデータを受信すると、ステップ１２０からステップ１２２へ移行し、当該画面を液晶画面２６に表示する。
【００７４】
本実施の形態では、例えば、当該携帯電話のＩＤに対して、電子メール、ＦＡＸ、郵便の３つの配信方法が登録されていた場合（すなわちユーザによって▲１▼の配信方法及び配信先の登録の際に、電子メール、ＦＡＸ、郵便の３つの配信方法が登録されていた場合）は、配信方法を選択するための画面として、一例として、図１２に示すような電子メール、ＦＡＸ、郵便の３つの配信方法を選択可能な配信方法としてリスト表示する画面が表示されるようになっている。ユーザは、携帯電話１２を操作して（例えば、携帯電話に備えられている０〜９の番号ボタンの中から所望の配信方法に対応する番号のボタンを押圧する）、表示された画面から所望の配信方法を選択する。
【００７５】
ユーザによって所望の配信方法が選択されると、図４のステップ１２４からステップ１２６に移行し、選択結果、すなわち選択された配信方法を示すデータが配信先情報指定情報として携帯電話１２からコンテンツサーバ１６へ送信される。
【００７６】
コンテンツサーバ１６は、図５に示すように、携帯電話１２からの選択結果を示すデータを受信すると、ステップ２１４からステップ２１６に移行する。ステップ２１６では、前述のステップ２０４で受信した携帯電話のＩＤを示すデータ、ステップ２１４で受信した選択された配信方法を示すデータ、及び、当該コンテンツサーバ１６が管理しているコンテンツの中から、前述のステップ２０４で受信したコンテンツの選択結果を示すデータに対応するコンテンツのデータ（選択されたコンテンツのデータ）を選択して配信サーバ１８へ送信する。
【００７７】
配信サーバ１８は、図８に示すように、コンテンツサーバ１６からの携帯電話のＩＤを示すデータ、選択された配信方法を示すデータ、及びコンテンツのデータを受信すると、ステップ３２４からステップ３２６に移行する。ステップ３２６では、受信した携帯電話のＩＤを示すデータ、及び選択された配信方法を示すデータに基づいて、データベース２８に登録されている配信先のデータの中から、当該携帯電話のＩＤ及び配信方法に対応する配信先のデータを検索する。次のステップ３２８において、検索した配信先へ受信したコンテンツのデータを配信する。
【００７８】
これにより、例えば、ユーザによって配信方法として電子メールが選択された場合には、配信サーバ１８では、データベース２８から具体的なメールアドレスが自動的に検索され、受信したコンテンツのデータが電子メールで当該検索されたメールアドレスへ送信される。ユーザは、コンピュータ２０でこの電子メールを受信することで、所望のコンテンツのデータを得ることができる。
【００７９】
このように、第１の実施の形態では、コンテンツサーバ１６とは別にインターネット２４上に配信サーバ１８を設け、配信サーバ１８において、携帯電話１２のＩＤと対応付けて、ユーザのメールアドレス等の配信先のデータが管理されるので、ユーザは配信サーバ１８に対して配信先を登録しておくだけで、何れのコンテンツサーバ１６から情報配信サービスの提供を受ける場合でもメールアドレス等の配信先の入力を行う必要がない。
【００８０】
また、複数のコンテンツサーバ１６で配信サーバ１８を共用できるので、各コンテンツサーバ１６にメールアドレス等の配信先のデータを管理するデータベースやメールサーバ等の配信処理に係わる装置を備える必要がなく、コストを低減することができる。
【００８１】
更に、配信サーバ１８からコンテンツのデータを送信することにより、当該配信サーバ１８で携帯電話１２のＩＤや配信先のデータが管理されているので、コンテンツに対して情報料を徴収する場合の課金を簡単に行うことができる。
【００８２】
また、第１の実施の形態では、複数の配信方法の配信先を登録可能となっており、コンテンツサーバ１６から配信サーバ１８へ携帯電話１２から入力された配信方法の選択結果が通知され、配信サーバ１８において自動的に対応する配信先が選択されるようになっている。すなわち、ユーザは、配信サーバ１８に複数の配信方法各々の配信先の情報を登録しておけば、コンテンツサーバ１６から情報配信サービスの提供を受ける場合に、配信方法を選択するだけで配信方法、すなわち配信先を変更（選択）することができる。
【００８３】
なお、上記では、各配信方法に対して１つの配信先のデータを登録する場合を前提に説明したが、本発明はこれに限定されるものではなく、１つの配信方法に対して複数の配信先のデータを登録するようにしてもよい。
【００８４】
例えば、ビジネス用とプライベート用等、ユーザが複数のメールアドレスを取得していることがあり、配信方法及び配信先の登録時、例えば、図１３に示すように、配信先として具体的なメールアドレスを入力する際等に、会社／自宅等のコメントを別名として入力可能とし、配信方法及び配信先のデータと共に、この別名のデータもデータベース２８に登録する。そして、情報配信サービスの提供時に、例えば、図１４に示すように、配信方法と別名との組合せで配信方法が選択されるようにすればよい。
【００８５】
また、上記では、配信サーバ１８が１つの場合の例を説明したが、複数の配信サーバ１８を用いるようにしてもよい。
【００８６】
[第２の実施の形態]
次に、複数の配信サーバを用いる場合の例を第２の実施の形態として説明する。なお、第１の実施の形態と同一の部材については、第１の実施の形態と同一の符号を付与しており、ここでは詳細な説明は説明する。
【００８７】
本発明の第２の実施の形態に係わるネットワークシステムは、図１５に示すように２台の配信サーバ１８Ａ、１８Ｂが接続手段２２を介してインターネット２４に接続されている。なお、配信サーバ１８は３台以上であってもよい。
【００８８】
図１６には、コンテンツサーバ１６と２台の配信サーバ１８Ａ、１８Ｂによって提供される情報配信サービスの全体の流れを示す概念図が示されている。以下、図１６の矢印▲１▼、▲２▼…の順に説明する。
【００８９】
▲１▼：ユーザは、情報配信サービスの利用に際して、携帯電話１２を操作して、配信サーバ１８Ａ、１８Ｂの少なくとも一方に対して、第１の実施の形態と同様に、配信方法及び配信先（及び別名）の登録を行なっておく。なお、以下では、配信サーバ１８Ａに登録を行った場合について説明する。
【００９０】
▲２▼Ａ：ユーザは、携帯電話１２を操作して、コンテンツサーバ１６にアクセスし、コンテンツサーバ１６が提供可能なコンテンツに関する情報（タイトル等）を閲覧し、所望のコンテンツを選択する。
【００９１】
▲２▼Ｂ：コンテンツサーバ１６は、情報を配信のために利用可能な配信サーバ、すなわち、配信サーバ１８Ａ、１８Ｂを携帯電話１２へ通知し、自分が配信方法及び配信先を登録した配信サーバの選択をユーザに促す。
【００９２】
▲２▼Ｃ：ユーザは、携帯電話を操作して、配信方法及び配信先を登録した配信サーバ１８Ａを選択する。なお、複数の配信サーバに配信方法及び配信先を登録した場合は、その中から何れか１つを選択すればよい。
【００９３】
以降▲３▼乃至▲８▼では、選択された配信サーバ１６Ａに対して、第１の実施の形態と同様の処理を行う。
【００９４】
図１７、図１８には、上記のような情報配信サービスを提供するために、携帯電話１２、コンテンツサーバ１６で実行される処理のフローチャートが各々示されている。
【００９５】
なお、携帯電話１２の登録時の処理、及び配信方法及び配信先が登録される配信サーバ１８Ａの処理は、第１の実施の形態と同様であるため省略する（図３、図６、図７参照）。また、図１７、図１８では、第１の実施の形態と同様の処理を行うステップについては同一の符号を付与しており、ここでは詳細な説明を省略する。
【００９６】
ユーザによって所望のコンテンツが選択され、図１７のステップ１１８において、携帯電話１２からコンテンツサーバ１６へ、当該選択結果を示すデータが当該携帯電話のＩＤを示すデータと共に送信されると、コンテンツサーバ１６では、図１８に示すように、ステップ２０４からステップ２３０に移行し、配信サーバを選択するための画面のデータを携帯電話１２へ送信する。
【００９７】
携帯電話１２では、図１７に示すように、配信サーバ１８からの配信サーバを選択するための画面のデータを受信すると、ステップ１３０からステップ１３２へ移行し、当該画面を液晶画面に表示する。
【００９８】
例えば、図１９に示すような利用可能な配信サーバ１８Ａ、１８Ｂを選択可能な配信サーバとしてリスト表示する画面が表示される。なお、図１９の例では、配信サーバ１８Ａが配信センターＡ、配信サーバ１８Ｂが配信センターＢに設置されている場合に、設置されているセンター名をリスト表示し、このセンター名により配信サーバ１８が選択されるようになっている。ユーザは、携帯電話１２を操作して（例えば、携帯電話に備えられている０〜９の番号ボタンの中から自分が配信方法や配信先を登録した配信センターに対応する番号のボタンを押圧する）、表示された画面から自分が配信方法及び配信先を登録した配信サーバ、すなわち配信サーバ１８Ａを選択するようにすればよい。
【００９９】
ユーザによって配信サーバ１８Ａが選択されると、図１７のステップ１３４からステップ１３６に移行し、携帯電話１２からコンテンツサーバ１６へ、選択結果を示すデータが配信管理装置指定情報として送信される。
【０１００】
コンテンツサーバ１６は、図１８に示すように、携帯電話からの配信サーバの選択結果を受信すると、ステップ２３２からステップ２０６へ移行し、選択された配信サーバ、すなわち配信サーバ１８Ａへ、携帯電話のＩＤに対応して登録されている配信方法を問合せる問合せ要求を送信する。なお、携帯電話のＩＤは、第１の実施の形態と同様に、コンテンツ選択時（ステップ２０４参照）にコンテンツの選択結果と共に送信されるようにしてもよいし、コンテンツサーバへアクセス時に送信されるようにしてもよいし、配信サーバ１８の選択時に配信サーバの選択結果と共に送信されるようにしてもよい。
【０１０１】
そして、選択された配信サーバ、すなわち配信サーバ１８Ａでは、この問合せ要求を受けて、第１の実施の形態と同様の処理が実行される（図６、図８参照）。すなわち、以降の処理では、携帯電話１２、コンテンツサーバ１６、選択された配信サーバ１８Ａで第１の実施の形態と同様の処理が行われる。
【０１０２】
このように、第２の実施の形態においても、複数の配信サーバが用いる場合であっても、ユーザが少なくとも１つの配信サーバに対して配信方法及び配信先を登録しておけば、何れのコンテンツサーバ１６から情報配信サービスの提供を受ける場合でもメールアドレスの入力を行う必要がない。
【０１０３】
なお、上記では、ネットワークとしてインターネット２４を用いた場合を例に説明したが、本発明はこれに限定されるものではなく、双方向に情報通信が可能であればよい。例えば、インターネット２４の代わりに、ＬＡＮ、ＷＡＮ等を使用してもよいし、これらの組合せでもよい。
【０１０４】
【発明の効果】
上記に示したように、本発明は、情報端末装置から情報配信サービスを利用する際の操作の簡略化を低コストで実現するという優れた効果を有する。
【図面の簡単な説明】
【図１】  第１の実施の形態に係わるネットワーク接続図である。
【図２】  第１の実施の形態に係わる情報配信サービスの全体の流れを示す概念図である。
【図３】  第１の実施の形態における登録時に携帯電話で実行される処理のフローチャートである。
【図４】  第１の実施の形態における情報配信サービス利用時時に携帯電話で実行される処理のフローチャートである。
【図５】  第１の実施の形態におけるコンテンツサーバで実行される処理のフローチャートである。
【図６】  第１の実施の形態における配信サーバで実行される処理のフローチャートである。
【図７】  図６で起動される登録処理のフローチャートである。
【図８】  図６で起動される配信処理のフローチャートである。
【図９】  携帯電話の表示パネルに表示される画面の例を示す図である。
【図１０】  携帯電話の表示パネルに表示される画面の例を示す図である。
【図１１】  携帯電話の表示パネルに表示される画面の例を示す図である。
【図１２】  携帯電話の表示パネルに表示される画面の例を示す図である。
【図１３】  携帯電話の表示パネルに表示される画面の例を示す図である。
【図１４】  携帯電話の表示パネルに表示される画面の例を示す図である。
【図１５】  第２の実施の形態に係わるネットワーク接続図である。
【図１６】  第２の実施の形態に係わる情報配信サービスの全体の流れを示す概念図である。
【図１７】  第２の実施の形態における情報配信サービス利用時時に携帯電話で実行される処理のフローチャートである。
【図１８】  第２の実施の形態におけるコンテンツサーバで実行される処理のフローチャートである。
【図１９】  携帯電話の表示パネルに表示される画面の例を示す図である。
【図２０】  従来の携帯電話側からのユーザの作業及び携帯電話の液晶パネルに表示される画面の例を示す図である。
【図２１】  添付ファイルとして配信要求された情報を添付して送信された電子メールの例を示す図である。
【符号の説明】
１２      携帯電話
１４      通信サーバ
１６      コンテンツサーバ
１８、１８Ａ、１８Ｂ    配信サーバ
２０      コンピュータ
２２      接続手段
２４      インターネット
２６      液晶画面
２８      データベース
３０      送信制御装置
【図１】
0003979005.tif 000002
【図２】
0003979005.tif 000003
【図３】
0003979005.tif 000004
【図４】
0003979005.tif 000005
【図５】
0003979005.tif 000006
【図６】
0003979005.tif 000007
【図７】
0003979005.tif 000008
【図８】
0003979005.tif 000009
【図９】
0003979005.tif 000010
【図１０】
0003979005.tif 000011
【図１１】
0003979005.tif 000012
【図１２】
0003979005.tif 000013
【図１３】
0003979005.tif 000014
【図１４】
0003979005.tif 000015
【図１５】
0003979005.tif 000016
【図１６】
0003979005.tif 000017
【図１７】
0003979005.tif 000018
【図１８】
0003979005.tif 000019
【図１９】
0003979005.tif 000020
【図２０】
0003979005.tif 000021
【図２１】
0003979005.tif 000022